(57)【特許請求の範囲】
【請求項１】
容器体に収容された薬剤を揮散する揮散器において、
断面形状が略円形を成す円柱形状の前記容器体を、長手方向に沿った分割面で分割された複数の容器で構成し、各容器をヒンジを介して連結して前記各容器を横並びに並設した展開状態と前記円柱形状にした閉状態とを形成可能に構成したことを特徴とする揮散器。
【請求項２】
前記各容器を前記円柱形状に維持する形状維持手段を備えたことを特徴とする請求項１記載の揮散器。
【請求項３】
前記形状維持手段を、異なる容器同士を係脱自在に係合する係合手段で構成したことを特徴とする請求項２記載の揮散器。
【請求項４】
前記形状維持手段を、前記閉状態にある前記容器体に外嵌するリングで構成したことを特徴とする請求項２又は３記載の揮散器。
【発明の詳細な説明】
【技術分野】
【０００１】
本発明は、芳香剤等の薬剤を揮散する揮散器に関する。
【背景技術】
【０００２】
従来、消臭剤、芳香剤、防虫剤、殺虫剤等の薬剤を揮散する装置として揮散器が知られている（例えば、特許文献１）。
【０００３】
この揮散器は、容器体によって構成されており、この容器体には、薬剤を吸収したゲルが収容されている。
【０００４】
これにより、前記ゲルから揮散した薬剤を、前記容器体に設けられた揮散孔から揮散できるように構成されている。
【特許文献１】特開２０００−１９１０５９号公報
【発明の開示】
【発明が解決しようとする課題】
【０００５】
しかしながら、このような従来の揮散器にあっては、その形状が固定されており、配置場所が制限されるという問題があった。
【０００６】
本発明は、このような従来の課題に鑑みてなされたものであり、変形することができる揮散器を提供することを目的とするものである。
【課題を解決するための手段】
【０００７】
前記課題を解決するために本発明の請求項１の揮散器にあっては、容器体に収容された薬剤を揮散する揮散器において、断面形状が略円形を成す円柱形状の前記容器体を、長手方向に沿った分割面で分割された複数の容器で構成し、各容器をヒンジを介して連結して前記各容器を横並びに並設した展開状態と前記円柱形状にした閉状態とを形成可能に構成した。
【０００８】
すなわち、円柱形状に形成された容器体は、ヒンジで連結された複数の容器で構成されており、当該容器体は、前記各容器を横並びに並設した展開状態と前記円柱形状に形成した閉状態とを形成することができる。
【０００９】
このため、前記容器体は、配置場所に応じて変形される。
【００１０】
そして、前記各容器に異なる薬剤を収容することもできる。
また、前記容器体は、前記円柱形状においてその断面形状が略円形となる。このため、当該揮散器を車に配置する際には、缶ジュース等を保持する為のカップホルダーに載置した状態で保持される。
また、カップホルダーを使用する際には、前記容器体の各容器を横並びに並設した展開状態を形成する。すると、当該容器体は、直線状に変形されるので、ドア内面に形成されたドアポケット等に収容することができる。
【００１１】
また、請求項２の揮散器においては、前記各容器を前記円柱形状に維持する形状維持手段を備えている。
【００１２】
すなわち、前記容器体は、前記各容器を円柱形状に維持する形状維持手段を備えており、該形状維持手段によって前記円柱形状に維持される。これにより、不用意な形状変化が防止される。
【００１３】
さらに、請求項３の揮散器では、前記形状維持手段を、異なる容器同士を係脱自在に係合する係合手段で構成した。
【００１４】
これにより、異なる容器同士を係合手段で係合することによって、前記円柱形状が維持される。
【００１５】
加えて、請求項４の揮散器にあっては、前記形状維持手段を、前記閉状態にある前記容器体に外嵌するリングで構成した。
【００１６】
これにより、前記閉状態にある前記容器体にリングを外嵌することによって前記円柱形状が維持される。また、前記リングを離脱することで、前記展開状態が形成される。
【発明の効果】
【００２０】
以上説明したように本発明の請求項１の揮散器にあっては、円柱形状に形成された容器体を、ヒンジで連結された複数の容器で構成することによって、当該容器体を、前記各容器を横並びに並設した展開状態と、前記円柱形状に形成した閉状態とを形成することができる。
【００２１】
このため、前記容器体を配置場所に応じて変形することができ、前記円柱形状となる前記閉状態では、棚等に配置する一方、各容器が横並びに並設され直線状に配置された展開状態では、窓の下縁部に設けられた棧上に配置することもできる。
【００２２】
そして、前記各容器に異なる薬剤を収容することもでき、例えば第１の容器に消臭剤を収容し、第２の容器に芳香剤を収容することによって、両薬剤を混合すること無く、消臭効果と芳香効果とを得ることができる。
また、前記容器体は、前記円柱形状においてその断面形状が略円形となる。このため、当該揮散器を車に配置する際には、缶ジュース等を保持する為のカップホルダーに載置した状態で保持することができる。
一方、前記カップホルダーを使用する際には、前記容器体の各容器を横並びに並設した展開状態を形成する。すると、当該容器体は、直線状に変形されるので、ドア内面に形成されたドアポケット等に収容することができる。
【００２３】
また、請求項２の揮散器においては、前記容器体は、前記各容器を所定形状に維持する形状維持手段を備えており、該形状維持手段によって前記円柱形状に維持することができる。
【００２４】
これにより、前記円柱形状の閉状態に形成された前記容器体の不用意な形状変化を防止することができる。
【００２５】
さらに、請求項３の揮散器では、隣接した容器同士を係合手段で係合することによって、前記円柱形状を維持することができる。
【００２６】
加えて、請求項４の揮散器にあっては、前記閉状態にある前記容器体にリングを外嵌するだけで、前記円柱形状を維持することができる。また、前記閉状態にある前記容器体から前記リングを離脱することにより、前記展開状態を形成することができる。
【発明を実施するための最良の形態】
【００２９】
（第１の実施の形態）
【００３０】
以下、本発明の第１の実施の形態を図に従って説明する。図１は、本実施の形態にかかる揮散器１を示す図であり、該揮散器１は、消臭剤、芳香剤、防虫剤、殺虫剤等の薬剤を揮散する装置である。
【００３１】
この揮散器１は、所定形状である円柱形状の容器体１１によって構成されており、該容器体１１は、水平断面形状が円形を成すように構成されている。この容器体１１は、当該容器体１１が中心線１２にて縦断されて二分割されてなる第１容器１３と第２容器１４とによって構成されており、第１及び第２容器１３，１４は、水平断面形状が半円を成すように構成されている。
【００３２】
前記各容器１３，１４は、図１の（ｂ）に示すように、上方開口状の容器部２１と、該容器部２１の上部開口部２２を閉鎖する蓋部２３とによって構成されており、各容器１３，１４を構成する容器部２１，２１には、薬剤を吸収した粒状ゲル２４，・・・が収容されている。この薬剤としては、前述した消臭剤、芳香剤、防虫剤、殺虫剤等が挙げられるが、両容器１３，１４に同一の薬剤を吸収した粒状ゲル２４，・・・を収容したり、異なる薬剤を吸収した二種類の粒状ゲル２４，・・・を前記各容器１３，１４に分けて収容しても良い。
【００３３】
前記各容器部２１，２１は、図２にも示すように、半円形の底面３１と、該底面３１の周縁に起立した周壁３２とによって構成されており、該周壁３２は、前記底面３１の直線部に起立した平面３３と、前記底面３１の円弧部に起立した湾曲面３４とで構成されている。該湾曲面３４の下部及び上部には、図２の（ｂ）に示したように、内側に後退した下方段差部３５及び上方段差部３６が全周に渡って形成されており、該上方段差部３６の上縁には、側方に突出した凸部３７が形成されている。
【００３４】
前記両容器部２１，２１の前記平面３３，３３における一方の縁部には、両容器部２１，２１を連結する薄肉のヒンジ４１が設けられており、このヒンジ４１を中心に折曲できるように構成されている。これにより、図１に示したように、当該容器体１１を前記ヒンジ４１で折曲した閉状態４２では、前記両容器部２１，２１の各平面３３，３３が対面するように構成されており、当該容器体１１が平面視円形を成す円柱形状となるように構成されている。また、前記ヒンジ４１を平坦の延ばした際には、図２に示したように、前記両容器部２１，２１を横並びに並設した展開状態４５を形成できるように構成されており、両容器部２１，２１の各平面３３，３３が直線状に配置されるように構成されている。
【００３５】
また、一方の容器部２１の前記平面３３における他方の縁部には、前記湾曲面３４の延長上に延出するフック５１が一体形成されており、該フック５１の先端には、内側に突出した突起５２が設けられている。また、他方の容器部２１の前記平面３３における他方の縁部には、前記フック５１の前記突起５２と係合する係合凹部５３が形成されており、前記両容器部２１，２１の各平面３３，３３を対面させた前記閉状態４２において、図１に示したように、一方の容器部２１に設けられた前記フック５１の前記突起５２が、他方の容器２１に設けられた前記係合凹部５３に係合するように構成されている。これにより、前記フック５１と前記係合凹部５３とは、隣接した容器部２１，２１同士を係脱自在に係合する係合手段を構成しており、該係合手段は、前記各容器部２１，２１を前記円柱形状に維持する形状維持手段を構成している。
【００３６】
前記蓋部２３は、図３にも示すように、半円形の天面６１と、該天面６１の周縁より下方に延出した周面６２とによって下方へ向けて開口した容器状に形成されており、前記周面６２の中途部には、凹部６３が形成されている。これにより、当該蓋部２３を前記容器部２１，２１の前記上方段差部３６，３６に嵌着した状態で、前記周面６２の中途部に形成された前記凹部６３に前記容器部２１に上縁に設けられた前記凸部３７が係合するように構成されている。
【００３７】
前記周面６２は、前記天面６１の直線部に沿って延在する平面部７１と、前記天面７１の円弧に沿って延在する曲面部７２とによって構成されており、前記天面６１には、直線部に沿って延在する複数のスリット７３，・・・が形成されている。前記周面６２の前記曲面部７２にも、横方向に延在する二本のスリット７４，７４が形成されており、当該蓋部２３で前記容器部２１の上部開口部２２を閉鎖した状態で、当該容器部２１に収容された前記粒状ゲル２４，・・・から揮散した薬剤を放出できるように構成されている。
【００３８】
そして、この揮散器１は、図４にも示すように、円形容器状の下部キャップ８１を備えており、該下部キャップ８１は、円形の底面８２と、該底面８２の周縁に起立した周壁面８３とによって構成されている。該周壁面８３は、前記閉状態４２にある前記容器体１１の前記下部段差部３５に外嵌する内径寸法に設定されており、前記閉状態４２にある前記容器体１１に外嵌する本発明のリングを構成している。これにより、当該下部キャップ８１を前記容器体１１の下部に嵌着した状態で、前記各容器部２１，２１を前記円柱形状に維持する形状維持手段が構成されている。
【００３９】
以上の構成にかかる本実施の形態において、円柱形状に形成された前記容器体１１は、ヒンジ４１で連結された一対の容器１３，１４で構成されており、当該容器体１１を、前記各容器１３，１４を横並びに並設した展開状態４５と、前記円柱形状に形成した閉状態４２とに形成することができる。
【００４０】
このため、前記容器体１１を配置場所に応じて変形することができ、前記円柱形状となる前記閉状態４２では、棚等に配置する一方、各容器１３，１４が横並びに並設され直線状に配置された展開状態４５では、窓の下縁部に設けられた棧上に配置することもできる。
【００４１】
そして、前記各容器１３，１４に異なる薬剤を吸収した粒状ゲル２４，・・・を収容することもでき、例えば第１容器１３に消臭剤を吸収した粒状ゲル２４，・・・を収容し、第２容器１４に芳香剤を吸収した粒状ゲル２４，・・・収容することによって、両薬剤を混合すること無く、消臭効果と芳香効果とを得ることができる。
【００４２】
また、前記閉状態４２において、一方の容器部２１に設けられたフック５１の突起５２を、他方の容器部２１に設けられた係合凹部５３に係合することによって、前記各容器１３，１４が前記円柱形状に形成された当該閉状態４２を維持することができる。このため、前記円柱形状に形成された前記容器体１１の不用意な形状変化を防止することができる。
【００４３】
さらに、この揮散器１は、円形容器状の下部キャップ８１を備えており、該下部キャップ８１を前記容器体１１の下部に嵌着した状態において、前記閉状態４２にある前記各容器部２１，２１を前記円柱形状に維持することができる。これによっても、前記円柱形状に形成された前記容器体１１の不用意な形状変化を防止することができる。
【００４４】
一方、前記閉状態４２にある前記容器体１１から前記下部キャップ８１を離脱することにより、前記展開状態４５を形成することができる。
【００４５】
そして、前記容器体１１は、前記円柱形状において円形の水平断面形状となる。このため、当該揮散器１を車に配置する際には、缶ジュース等を保持する為のカップホルダーに載置した状態で保持することができる。
【００４６】
一方、前記カップホルダーを使用する際には、前記容器体１１の各容器１３，１４を横並びに並設した展開状態４５を形成する。すると、当該容器体１１は、直線状に変形されるので、ドア内面に形成されたドアポケット等に収容することができる。
【００４７】
なお、本実施の形態では、円柱形状の容器体１１を二分割する場合例に挙げて説明したが、これに限定されるものでは無い。
【００４８】
（第２の実施の形態）
【００４９】
すなわち、図５は、第２の実施の形態を示す図であり、揮散器１０１を構成する前記容器体１０２は、中央部を構成する平面視長方形状の中央部構成容器１０３と、その両側部に配置される側部構成容器１０４，１０４とによって構成されている。
【００５０】
各側部構成容器１０４，１０４の一方の縁と前記中央部構成容器１０３の縁とは、第１の実施の形態と同様のヒンジ１１１，１１１を介して連結されており、各側部構成容器１０４，１０４の他方の縁と該縁が対向する前記中央部構成容器１０３の部位には、互いに係合する係合構造が設けられている（図示省略）。
【００５１】
これにより、図５中左方に示すように、前記中央部構成容器１０３の両側に前記側部構成容器１０４，１０４を配置して当該容器体１０２を円柱状に形成した閉状態１２１と、図５中右方に示すように、一方の側部構成容器１０４と前記中央部構成容器１０３と他方の側部構成容器１０４とを並設して直線状に配置した展開状態１２２とを形成できるように構成されおり、第１の実施の形態と同様の効果を得ることができる。
【００５２】
（第３の実施の形態）
【００５３】
図６は、第３の実施の形態を示す図であり、揮散器２０１を構成する容器体２０２は、周方向に四分割された三角柱形状を成す四つの三角容器２０３，・・・によって構成されている。
【００５４】
各三角容器２０３は、隣接する縁部が第１の実施の形態と同様のヒンジ２１１，・・・を介して連結されており、直線状に展開した状態で両端に配置される三角容器２０３，・・・の縁部には、互いに係合する係合構造が設けられている（図示省略）。
【００５５】
これにより、図６中左方に示すように、前記各三角容器２０３，・・・からなる容器体２０２を円柱状に形成した閉状態２２１と、図５中右方に示すように、各三角容器２０３，・・・を並設して直線状に配置した展開状態２２２とを形成できるように構成されおり、第１の実施の形態と同様の効果を得ることができる。
【００５６】
（第４の実施の形態）
【００５７】
図７は、第４の実施の形態を示す図であり、揮散器３０１を構成する前記容器体３０２は、八角柱状に形成されており、周方向に四分割された三角柱形状を成す八つの三角容器３０３，・・・によって構成されている。
【００５８】
各三角容器３０３，・・・は、隣接する縁部が第１の実施の形態と同様のヒンジ３１１を介して連結されており、直線状に展開した状態で両端に配置される三角容器３０３，３０３の縁部には、互いに係合する係合構造が設けられている（図示省略）。
【００５９】
これにより、図７中左方に示すように、前記各三角容器３０３，・・・からなる容器体３０２を八角柱状に形成した閉状態３２１と、図７中右方に示すように、各三角容器３０３，・・・を並設して直線状に配置した展開状態３２２とを形成できるように構成されおり、第１の実施の形態と同様の効果を得ることができる。
【００６０】
（第５の実施の形態）
【００６１】
図８は、第５の実施の形態を示す図であり、揮散器４０１を構成する前記容器体４０２は、中央部に正方形状の挿通穴４０３が設けられた円筒状に形成されており、該容器体４０２は、前記挿通穴４０３の各辺毎に四分割されが平面視半円形状を成す四つの半円容器４０４，・・・によって構成されている。
【００６２】
各半円容器４０４，・・・は、隣接する縁部が第１の実施の形態と同様のヒンジ４１１，・・・を介して連結されており、直線状に展開した状態で両端に配置される半円容器４０４，４０４の縁部には、互いに係合する係合構造が設けられている（図示省略）。
【００６３】
これにより、図８中左方に示すように、前記各半円容器４０４，・・・からなる容器体４０２を円柱形状に形成した閉状態４２１と、図８中右方に示すように、各半円容器４０４，・・・を並設して直線状に配置した展開状態４２２とを形成できるように構成されおり、第１の実施の形態と同様の効果を得ることができる。
【００６４】
（第６の実施の形態）
【００６５】
図９は、第６の実施の形態を示す図であり、揮散器５０１を構成する前記容器体５０２は、中央部に挿通穴５０３が設けられた矩形筒状に形成されており、該容器体５０２は、各辺毎に四分割され平面視半円形状を成す四つの半円容器５０４，・・・によって構成されている。
【００６６】
各半円容器５０４，・・・は、隣接する縁部が第１の実施の形態と同様のヒンジ５１１，・・・を介して連結されており、直線状に展開した状態で両端に配置される半円容器５０４，５０４の縁部には、互いに係合する係合構造が設けられている（図示省略）。
【００６７】
これにより、図９中左方に示すように、前記各半円容器５０４，・・・からなる容器体５０２を矩形筒形状に形成した閉状態５２１と、図９中右方に示すように、各半円容器５０４，・・・を並設して直線状に配置した展開状態５２２とを形成できるように構成されおり、第１の実施の形態と同様の効果を得ることができる。
【００６８】
（第７の実施の形態）
【００６９】
図１０は、第７の実施の形態を示す図であり、揮散器６０１を構成する容器体６０２は、中央部に矩形状の挿通穴６０３が設けられた矩形筒状に形成されており、該容器体６０２は、各辺毎に四分割され平面視長方形状を成す四つの直方体容器６０４，・・・によって構成されている。
【００７０】
各直方体容器６０４，・・・は、隣接する縁部が第１の実施の形態と同様のヒンジ６１１，・・・を介して連結されており、直線状に展開した状態で両端に配置される直方体容器６０４，６０４の縁部には、互いに係合する係合構造が設けられている（図示省略）。
【００７１】
これにより、図１０中左方に示すように、前記各直方体器６０４，・・・からなる容器体６０２を矩形筒形状に形成した閉状態６２１と、図１０中右方に示すように、各直方体容器６０４，・・・を並設して直線状に配置した展開状態６２２とを形成できるように構成されおり、第１の実施の形態と同様の効果を得ることができる。
【図面の簡単な説明】
【００７２】
【図１】本発明の第１の実施の形態を示す図で、（ａ）は平面図であり、（ｂ）は断面図である。
【図２】同実施の形態の容器体を示す図で、（ａ）は平面図であり、（ｂ）は断面図である。
【図３】同実施の形態の蓋部を示す図で、（ａ）は平面図であり、（ｂ）は断面図である。
【図４】同実施の形態の下部キャップを示す図で、（ａ）は平面図であり、（ｂ）は断面図である。
【図５】本発明の第２の実施の形態を示す図である。
【図６】本発明の第３の実施の形態を示す図である。
【図７】  第４の実施の形態を示す図である。
【図８】  第５の実施の形態を示す図である。
【図９】  第６の実施の形態を示す図である。
【図１０】  第７の実施の形態を示す図である。
【符号の説明】
【００７３】
１    揮散器
１１    容器体
１３    第１容器
１４    第２容器
２４    粒状ゲル
４１    ヒンジ
４２    閉状態
４５    展開状態
５１    フック
５３    係合凹部
８３    周壁
１０１    揮散器
１０２    容器体
１０３    中央部構成容器
１０４    側部構成容器
１１１    ヒンジ
１２１    閉状態
１２２    展開状態
２０１    揮散器
２０２    容器体
２０３    三角容器
２１１    ヒンジ
２２１    閉状態
２２２    展開状態
３０１    揮散器
３０２    容器体
３０３    三角容器
３１１    ヒンジ
３２１    閉状態
３２２    展開状態
４０１    揮散器
４０２    容器体
４０４    半円容器
４１１    ヒンジ
４２１    閉状態
４２２    展開状態
５０１    揮散器
５０２    容器体
５０４    半円容器
５１１    ヒンジ
５２１    閉状態
５２２    展開状態
６０１    揮散器
６０２    容器体
６０４    直方体容器
６１１    ヒンジ
６２１    閉状態
６２２    展開状態
【図１】
0004823683.tif 000002
【図２】
0004823683.tif 000003
【図３】
0004823683.tif 000004
【図４】
0004823683.tif 000005
【図５】
0004823683.tif 000006
【図６】
0004823683.tif 000007
【図７】
0004823683.tif 000008
【図８】
0004823683.tif 000009
【図９】
0004823683.tif 000010
【図１０】
0004823683.tif 000011